(57)【要約】      （修正有）【課題】  堰堤等の構築に使用する型枠部材および型枠を提供する。【解決手段】並行に配列した長縦梁１および短縦梁２と、該長縦梁１および短縦梁２に架け渡された上側横梁３および下側横梁４からなり、長縦梁１および短縦梁２と、上側横梁３および下側横梁４とを固定手段５で固定して型枠部材６とする。型枠部材６の所定個を横列し、横列した型枠部材６の上側横梁３および下側横梁４に複数個の丸太材７を架け渡して一段目の横列型枠部材８を形成する。一段目の横列型枠部材８の上に積み重ねる二段目以降の横列型枠部材１８は、所定個の型枠部材６を横列し、下段の型枠部材６の長縦梁１と上段の上側横梁１３および下側横梁１４とを固定し、かつ上段の型枠部材６の上側横梁１３および下側横梁１４に複数個の丸太材１７を架け渡すことにより形成する。【選択図】    図１２
2006083632.tif 000002
【特許請求の範囲】
【請求項１】
並行に配列した長縦梁および短縦梁と、該長縦梁および短縦梁に架け渡された上側横梁および下側横梁からなり、該長縦梁および短縦梁と、該上側横梁および下側横梁とを固定手段で固定したことを特徴とする型枠部材。
【請求項２】
該型枠部材は間伐材からなる請求項１に記載の型枠部材。
【請求項３】
請求項１または２に記載の型枠部材の所定個を横列し、横列した型枠部材の上側横梁および下側横梁に複数個の丸太材を架け渡して一段目の横列型枠部材を形成し、一段目の横列型枠部材の上に更に二段目以降の横列型枠部材を積重ねてなるコンクリート壁用型枠であって、該二段目以降の横列型枠部材は、所定個の型枠部材を横列し、下段の型枠部材の長縦梁と上段の上側横梁および下側横梁とを固定し、かつ上段の型枠部材の上側横梁および下側横梁に複数個の丸太材を架け渡して二段目以降の横列型枠部材が形成されることを特徴とするコンクリート壁用型枠。
【請求項４】
請求項３に記載の型枠にセメントスラリーを充填せしめてコンクリート壁とすることを特徴とするコンクリート壁の構築方法。
【発明の詳細な説明】
【技術分野】
【０００１】
本発明は、堰堤等に形成されるコンクリート壁を構築する際に使用する型枠部材、コンクリート用型枠および該型枠を使用するコンクリート壁構築方法に関する。
【背景技術】
【０００２】
従来より、堰堤等に形成されるコンクリート壁を構築するために使用される型枠として、コンクリートを打設後、型枠を取り外す必要のない残存型枠が知られている。該残存型枠には、自然景観との調和、環境汚染を生じない等の観点から、一般に木材が使用されている。
例えば、図２０に示すように、木材を平面加工して得られる単位材１Ｐを並列し、これらを連結ボルト２Ｐで固定した複数個の木製型枠体３Ｐからなる型枠が知られている（例えば特許文献１参照）。
【０００３】
【特許文献１】特開２００３−３３６２７４号公報
【発明の開示】
【発明が解決しようとする課題】
【０００４】
上記型枠体３Ｐは、それぞれの型枠体３Ｐ同士は連結ボルト２Ｐで固定されてはいるものの、型枠体３Ｐ同士の連結強度が充分でなく、型枠内に充填されたセメントスラリーが膨張すると型枠体３Ｐがぐらつき、所望の形状のコンクリート壁を得ることが出来ないという問題があった。
【課題を解決するための手段】
【０００５】
本発明は、上記課題を解決するための手段として、並行に配列した長縦梁１および短縦梁２と、該長縦梁１および短縦梁２に架け渡された上側横梁３および下側横梁４からなり、該長縦梁１および短縦梁２と、該上側横梁３および下側横梁４とを固定手段５で固定した型枠部材６を提供するものである。
該型枠部材６は間伐材からなることが望ましい。
また本発明は、上記型枠部材６の所定個を横列し、横列した型枠部材６の上側横梁３および下側横梁４に複数個の丸太材７を架け渡して一段目の横列型枠部材８を形成し、一段目の横列型枠部材８の上に更に二段目以降の横列型枠部材１８を積重ねてなるコンクリート壁用型枠１０であって、該二段目以降の横列型枠部材１８は、所定個の型枠部材１６を横列し、下段の型枠部材６の長縦梁１と上段の上側横梁１３および下側横梁１４とを固定し、かつ上段の型枠部材１６の上側横梁１３および下側横梁１４に複数個の丸太材１７を架け渡して二段目以降の横列型枠部材１８が形成されるコンクリート壁用型枠１０を提供するものである。
また本発明は更に、上記型枠１０にセメントスラリーを充填せしめてコンクリート壁とするコンクリート壁の構築方法を提供するものである。
【発明の効果】
【０００６】
本発明によれば、間伐材を有効活用しつつ、自然景観に調和し、環境に優しい型枠を提供することが出来る。本発明の型枠は、前後方向の強度に優れる。
【発明を実施するための最良の形態】
【０００７】
以下、本発明の一実施形態を図面に基づいて詳細に説明する。
図１および図２に示されるのは、長縦梁１、短縦梁２、上側横梁３および下側横梁４からなる型枠部材６である。該長縦梁１と短縦梁２は並行に配列され、これらの縦梁１、２には上側横梁３、下側横梁４が架け渡されている。長縦梁１の長さをＬとすると、短縦梁２の長さはＬ／２であることが望ましい。
これらの縦梁１、２および横梁３、４は杉、檜等の天然の木材からなる。該木材としては特に間伐材を使用することが望ましい。間伐材は、一般に、細径であり建具等の材料としては不適であるが、本発明の型枠部材６の材料として充分使用することができる。木材（丸太材）を本発明の縦梁１、２、横梁３、４として使用するためには、まず丸太素材９を略円形形状に整形し、かつ丸太材の径を揃える。横梁３、４には、整形された丸太素材を３面取りしたもの９Ａが使用され、縦梁１、２には２面取りしたもの９Ｂが使用される（図３参照）。
横梁３、４と縦梁１、２は、連結金具等の固定手段５によって固定される。なお図４に示される連結金具５は、一方のネジ部５Ａが縦梁１より突出しているが、このネジ部５Ａは、型枠を補強するための鉄筋を固定するための固定点として使用することが出来る（図４参照）。
【０００８】
上記型枠部材６を複数個用意し、これらの型枠部材６を横列し、固定手段１５で固定すると横列型枠部材８が得られる（図５参照）。隣接する型枠部材６同士は、少なくとも縦梁１、２同士を上下２箇所で連結金具等の固定手段１５で固定することが望ましい（図６および図７参照）。
【０００９】
コンクリート壁を構築するには、図８に示されるように、まず一段目の横列型枠部材８を地山２０から所定の間隔を取り配置する。該地山２０と横列型枠部材８との間にはセメントスラリーが建込まれるが、その際セメントスラリーの圧力がかかるので、該横列型枠部材８は鉄筋２１で補強されていることが望ましい。鉄筋の一端はアンカー２２で地盤２３に固定され、他端は連結金具５のネジ部５Ａで固定されている。
【００１０】
横列型枠部材８を構成するそれぞれの型枠部材６において、上側横梁３および下側横梁４の間には、丸太材７が架け渡される。該丸太材７は、適当な径を有していれば特に整形されている必要はない。例えば、皮付きの原木を丸太材７として使用することが出来る。該横梁３、４と丸太材７は、ビス２４固定される（図９参照）。
但し、型枠部材６の中央部分は整形した丸太材２７を使用することが望ましく（図１０参照）、更に該丸太材２７を連結金具等の固定手段２５で固定することが望ましい。連結金具で固定すれば、連結金具の一端を、鉄筋と溶接固定することができるからである。
なお、セメントスラリーの漏れを防止するために上記丸太材の表面に麻布２６を被覆しても良い。
【００１１】
上記丸太材７の架け渡しの際、作業者Ｗは、横列型枠部材８の長縦梁１、１にロープ５０を張り、該ロープに命綱５５を付けて作業することが望ましい（図１１参照）。このようにすれば作業者Ｗは足を滑らせる等の転倒事故を防ぐことができる。また長縦梁１に複数本のロープ５０、５１、５２を張れば、落下物が該ロープ５０、５１、５２でせき止められるという効果もある。
【００１２】
一段目の横列型枠部材８を形成後、該地山２０と横列型枠部材８との間にセメントスラリーを建込む。なおセメントスラリーは、図８中の破線の位置まで充填される。
【００１３】
セメントの硬化後、一段目の横列型枠部材８の上には、更に二段目の横列型枠部材１８が積重ねられる（図１２参照）。この場合、一段目と二段目の型枠部材同士８、１８は半幅ずらして固定される。一段目の長縦梁１は、二段目の上側横梁１３および下側横梁１４と結合されるので、本発明の型枠部材８、１８は前後方向の強度が高くなる。
二段目の横列型枠部材１８にも、一段目と同様、丸太材１７が架け渡され、麻布が被覆される。なお二段目の横列型枠部材１８は、鉄筋３１によって補強されている。該鉄筋３１の一端は、硬化したセメント３３に打ち付けられたアンカー３３と、他端は横列型枠部材１８の固定手段と固定されている（図１３参照）。
二段目の横列型枠部材１８を形成後、該地山２０と二段目の横列型枠部材１８との間にセメントスラリーを建込む。
【００１４】
二段目の横列型枠部材１８の上には、更に三段目の横列型枠部材２８が積重ねられる。三段目以降も上記横列型枠部材１８と同様、丸太材１７が架け渡され、麻布が被覆され、セメントスラリーが建込まれる。
以下、同様の手順で型枠部材が積重ねられ、セメントスラリーが建込まれ、コンクリート壁が構築される。この場合、コンクリート壁用型枠１０の最上段の突出した部分（横列型枠部材２８（型枠部材）の長縦梁の部分）を切除してもよい。
【００１５】
なお、本発明の型枠１０の端末部分に使用される型枠部材は、構築される所定のコンクリート壁の形状に併せたものを使用することが望ましい。該型枠部材としては、例えば図１４に示されるような型枠部材４６、５６、６６、７６がある。
【００１６】
また本発明では、図１６に示されるように横列型枠部材８、８を、所定間隔を保って対向して配置し、対向する横列型枠部材の間にセメントスラリーを建て込んでコンクリート壁を構築してもよい。この場合も、上記実施例と同様、対向して配置された横列型枠部材８、８は鉄筋および地盤２３に打ちつけたアンカー２２、２２で固定され、該横列型枠部材８、８には上記実施例と同様に丸太材が架け渡され、麻布が被覆される（図示せず）。セメントスラリーは図１６に示される破線部分まで充填され、セメントが硬化した後、図１７に示されるように一段目の横列型枠部材８、８の上に更に２段目の横列型枠部材１８、１８が形成される。以下、上記実施例と同様にセメントスラリーを横列型枠部材１８、１８の間に充填して、コンクリート壁を構築して行く。
【００１７】
また更に、本発明では、図１８に示されるように、横列型枠部材８とプラスチック、木材等からなる汎用の板材４４を使用してコンクリート壁を構築することも可能である。
【００１８】
本発明においては、図１９に示すように、長縦梁３１、短縦梁３２、上側横梁３３および下側横梁３４の長さの比率を変更した型枠部材３６を適宜必要に応じて使用されてもよい。
【００１９】
本発明の型枠は、間伐材を使用することが出来るので、間伐材の有効利用を図ることが出来る。また間伐材を略原木のまま使用することができるので、低コストの型枠部材、型枠を提供することができる。
【００２０】
本発明の型枠部材および型枠は、組み立て作業が簡便であり、容易に現場で組み立てることが出来る。
本発明の型枠、型枠部材は周囲の景観とよく調和し、環境に優しいという利点がある。
また、本発明のコンクリート壁の構築方法は、作業者の安全を確保しつつコンクリート壁を構築できるという利点がある。
【産業上の利用可能性】
【００２１】
本発明の型枠は、例えば、堰堤等に形成されるコンクリート壁を構築する際に使用する型枠として使用することが出来る。
【図面の簡単な説明】
【００２２】
【図１】型枠部材の正面図を示す。
【図２】型枠部材の側面図を示す。
【図３】丸太材を整形して得られる縦梁および横梁の断面図を示す。
【図４】横梁と縦梁との接合の説明図を示す。
【図５】横列型枠部材の説明図を示す。
【図６】図５中におけるＡ−Ａ断面図を示す。
【図７】連結金具の説明図を示す。
【図８】一段目の横列型枠部材に丸太材を取り付けた状態の説明図を示す。
【図９】横梁と丸太材の結合固定状態の説明図を示す。
【図１０】丸太材が取り付けられた型枠部材の説明図を示す。
【図１１】命綱を付けて丸太材の取り付け作業を行う作業者を示す説明図である。
【図１２】二段目の横列型枠部材を一段目の横列型枠部材の上に積重ねた状態の説明図を示す。
【図１３】二段目の横列型枠部材を一段目の横列型枠部材の上に重ねた状態の側面図を示す。
【図１４】コンクリート壁用型枠の端末部分を構成する種々の型枠部材の正面図を示す。
【図１５】コンクリート壁用型枠の正面図を示す。
【図１６】対向して配置した横列型枠部材の間にコンクリート壁を構築する場合の説明図を示す。
【図１７】一段目の対向する横列型枠部材の上に更に横列型枠部材を形成した状態の説明図である。
【図１８】横列型枠部材と板材との間にコンクリート壁を構築する場合の説明図を示す。
【図１９】本発明の他の型枠部材を示す。
【図２０】従来の型枠の説明図を示す。
【符号の説明】
【００２３】
１      長縦梁
２      短縦梁
３      上側横梁
４      下側横梁
５      固定手段（連結金具）
６      型枠部材
７      丸太材
８      横列型枠部材
９      丸太素材
１０    コンクリート壁用型枠
１３    上側横梁
１４    下側横梁
１５    固定手段
１６    型枠部材
１７    丸太材
１８    横列型枠部材
２０    地山
２１    鉄筋
２２    アンカー
２３    地盤
２４    ビス
２５    固定手段
２６    麻布
２７    丸太材
２８    横列型枠部材
４４    板材
４６，５６，６６，７６    型枠部材
【図１】
2006083632.tif 000003
【図２】
2006083632.tif 000004
【図３】
2006083632.tif 000005
【図４】
2006083632.tif 000006
【図５】
2006083632.tif 000007
【図６】
2006083632.tif 000008
【図７】
2006083632.tif 000009
【図８】
2006083632.tif 000010
【図９】
2006083632.tif 000011
【図１０】
2006083632.tif 000012
【図１１】
2006083632.tif 000013
【図１２】
2006083632.tif 000014
【図１３】
2006083632.tif 000015
【図１４】
2006083632.tif 000016
【図１５】
2006083632.tif 000017
【図１６】
2006083632.tif 000018
【図１７】
2006083632.tif 000019
【図１８】
2006083632.tif 000020
【図１９】
2006083632.tif 000021
【図２０】
2006083632.tif 000022